(57)【要約】【課題】本発明は、表示部に表示された画像に対して処理を指示するための操作が検出された場合に、処理が指示された画像を拡大しない場合と比較して、処理が指示された画像を認識しやすくすることができる。【解決手段】画像形成装置１１は、画像読取部１０により読み取った画像のプレビュー画像が表示部６２に表示されている場合に、プレビュー画像に対して処理を指示するための操作が検出された場合に、プレビュー画像の少なくとも一部を拡大して表示部６２に表示させる。【選択図】図１
2018033052.tif 000002
【特許請求の範囲】
【請求項１】
画像を取得する取得手段と、
前記取得手段により取得した画像が表示部に表示されている場合に、前記画像に対して処理を指示するための操作を検出する検出手段と、
前記検出手段により前記操作が検出された場合に、前記画像の少なくとも一部を拡大して前記表示部に表示させる表示手段と、
前記処理が指示された画像に対して前記処理を行う処理手段と、
を備えた表示制御装置。
【請求項２】
前記表示手段は、前記表示部に複数の画像が表示されている場合において、前記検出手段により検出された前記操作の度合いが予め定めた基準度合いよりも大きい場合は、前記操作の度合いに応じた複数の画像を拡大して前記表示部に表示させる
請求項１記載の表示制御装置。
【請求項３】
前記処理手段は、前記表示部に複数の画像が表示されている場合において、前記処理が指示された処理対象画像と近似する近似画像が前記複数の画像の中に存在する場合は、前記近似画像に対して前記処理を行う
請求項１又は請求項２記載の表示制御装置。
【請求項４】
前記表示手段は、前記表示部に複数の画像が表示されている場合において、前記処理が指示された処理対象画像と近似しない非近似画像を、前記処理に不適当な画像として警告する
請求項１〜３の何れか１項に記載の表示制御装置。
【請求項５】
前記表示手段は、前記取得手段により取得した画像で且つ前記表示部に表示されていない画像に対する前記処理の実行可否を確認するための確認画面を前記表示部に表示させる
請求項３又は請求項４記載の表示制御装置。
【請求項６】
前記表示手段は、前記処理手段により前記処理が実行された画像を拡大して前記表示部に表示させる
請求項１〜５の何れか１項に記載の表示制御装置。
【請求項７】
前記処理は、前記処理が指示された画像の属性を変更する処理である
請求項１〜６の何れか１項に記載の表示制御装置。
【請求項８】
前記処理は、前記処理が指示された画像に付加情報を追加する処理である
請求項１〜６の何れか１項に記載の表示制御装置。
【請求項９】
コンピュータを、請求項１〜８の何れか１項に記載の表示制御装置の各手段として機能させるための表示制御プログラム。
【発明の詳細な説明】
【技術分野】
【０００１】
本発明は、表示制御装置及び表示制御プログラムに関する。
【背景技術】
【０００２】
特許文献１には、画像データを取得する画像データ取得部と、該画像データ取得部で取得した画像データを記録媒体に印刷するプリンタ部と、を備える画像処理装置において、  前記画像処理装置に対する指示入力に従って特定の画像データを選択し、前記画像データ取得部で取得した画像データに付加された方向情報に従って、前記選択した特定の画像データと同じ方向情報または反対の方向情報が付加された画像データを一括して回転した画像を印刷することを特徴とする画像処理装置が開示されている。
【０００３】
特許文献２には、表示部を備えた画像処理装置であって、画像をページ毎に前記表示部にプレビュー表示するプレビュー表示手段と、画像の特徴を抽出する特徴抽出手段と、前記表示部にプレビュー表示したページの画像の特徴を記憶する特徴記憶手段と、前記特徴記憶手段にて記憶した画像の特徴から規則性を抽出する規則性抽出手段と、前記表示部にプレビュー表示しているページの画像の特徴が、前記規則性抽出手段にて抽出した規則性に合致しない場合、合致しない特徴を補正するためのメニューを表示する補正メニュー表示手段とを備えた、画像処理装置が開示されている。
【先行技術文献】
【特許文献】
【０００４】
【特許文献１】特開２０１１−５５５５２号公報
【特許文献２】特開２０１３−２６７２０号公報
【発明の概要】
【発明が解決しようとする課題】
【０００５】
本発明は、表示部に表示された画像に対して処理を指示するための操作が検出された場合に、処理が指示された画像を拡大しない場合と比較して、処理が指示された画像を認識しやすくすることができる表示制御装置及び表示制御プログラムを提供することを目的とする。
【課題を解決するための手段】
【０００６】
上記目的を達成するために、請求項１記載の発明の表示制御装置は、画像を取得する取得手段と、前記取得手段により取得した画像が表示部に表示されている場合に、前記画像に対して処理を指示するための操作を検出する検出手段と、前記検出手段により前記操作が検出された場合に、前記画像の少なくとも一部を拡大して前記表示部に表示させる表示手段と、前記処理が指示された画像に対して前記処理を行う処理手段と、を備える。
【０００７】
請求項２記載の発明は、前記表示手段は、前記表示部に複数の画像が表示されている場合において、前記検出手段により検出された前記操作の度合いが予め定めた基準度合いよりも大きい場合は、前記操作の度合いに応じた複数の画像を拡大して前記表示部に表示させる。
【０００８】
請求項３記載の発明は、前記処理手段は、前記表示部に複数の画像が表示されている場合において、前記処理が指示された処理対象画像と近似する近似画像が前記複数の画像の中に存在する場合は、前記近似画像に対して前記処理を行う。
【０００９】
請求項４記載の発明は、前記表示手段は、前記表示部に複数の画像が表示されている場合において、前記処理が指示された処理対象画像と近似しない非近似画像を、前記処理に不適当な画像として警告する。
【００１０】
請求項５記載の発明は、前記表示手段は、前記取得手段により取得した画像で且つ前記表示部に表示されていない画像に対する前記処理の実行可否を確認するための確認画面を前記表示部に表示させる。
【００１１】
請求項６記載の発明は、前記表示手段は、前記処理手段により前記処理が実行された画像を拡大して前記表示部に表示させる。
【００１２】
請求項７記載の発明は、前記処理は、前記処理が指示された画像の属性を変更する処理である。
【００１３】
請求項８記載の発明は、前記処理は、前記処理が指示された画像に付加情報を追加する処理である。
【００１４】
請求項９記載の発明の表示制御プログラムは、コンピュータを、請求項１〜８の何れか１項に記載の表示制御装置の各手段として機能させるための表示制御プログラムである。
【発明の効果】
【００１５】
請求項１及び請求項９記載の発明によれば、表示部に表示された画像に対して処理を指示するための操作が検出された場合に、処理が指示された画像を拡大しない場合と比較して、処理が指示された画像を認識しやすくすることができる。
【００１６】
請求項２記載の発明によれば、複数の画像に対する処理の指示をまとめることができる。
【００１７】
請求項３記載の発明によれば、処理対象画像及び近似画像をまとめて処理することができる。
【００１８】
請求項４記載の発明によれば、処理対象画像と近似しない非近似画像を容易に認識できる。
【００１９】
請求項５記載の発明によれば、表示部に表示されていない画像に対しても処理の実行可否を容易に確認することができる。
【００２０】
請求項６記載の発明によれば、処理が実行された画像を容易に確認することができる。
【００２１】
表示させる。
【００２２】
請求項７記載の発明によれば、画像の属性を変更する処理が指示された場合に、処理が指示された画像を認識しやすくすることができる。
【００２３】
請求項８記載の発明によれば、画像に付加情報を追加する処理が指示された場合に、処理が指示された画像を認識しやすくすることができる。
【図面の簡単な説明】
【００２４】
【図１】画像形成装置の外観図である。
【図２】画像読取部の構成図である。
【図３】画像形成装置の電気的構成を示すブロック図である。
【図４】プレビュー画像の一覧画面の例を示す図である。
【図５】第１実施形態に係るプレビュー画像の表示制御処理の流れを示すフローチャートである。
【図６】第１実施形態に係るジェスチャー操作の一例について説明するための図である。
【図７】第１実施形態に係るプレビュー画像の拡大表示の一例を示す図である。
【図８】第１実施形態に係る回転後のプレビュー画像の一例を示す図である。
【図９】第２実施形態に係るプレビュー画像の表示制御処理の流れを示すフローチャートである。
【図１０】第２実施形態に係るジェスチャー操作の一例について説明するための図である。
【図１１】第２実施形態に係るプレビュー画像の拡大表示の一例を示す図である。
【図１２】第３実施形態に係るプレビュー画像の表示制御処理の流れを示すフローチャートである。
【図１３】第３実施形態に係るジェスチャー操作の一例について説明するための図である。
【図１４】第３実施形態に係るプレビュー画像の拡大表示の一例を示す図である。
【図１５】第３実施形態に係る回転後のプレビュー画像の一例を示す図である。
【図１６】第３実施形態に係る確認画面の一例を示す図である。
【図１７】第３実施形態に係る確認画面の一例を示す図である。
【図１８】第３実施形態に係る確認画面の一例を示す図である。
【図１９】第３実施形態に係る確認画面の一例を示す図である。
【図２０】第３実施形態に係る確認画面の一例を示す図である。
【図２１】第３実施形態に係る確認画面の一例を示す図である。
【図２２】第４実施形態に係るプレビュー画像の表示制御処理の流れを示すフローチャートである。
【図２３】第４実施形態に係る確認画面の一例を示す図である。
【図２４】第４実施形態に係る確認画面の一例を示す図である。
【発明を実施するための形態】
【００２５】
以下、図面を参照して、本発明を実施するための形態を詳細に説明する。
【００２６】
図１には、本実施形態に係る画像形成装置１１の外観図を示した。図１に示すように、画像形成装置１１は、画像読取部１０と、画像形成部８０と、用紙供給部８２と、用紙排出部８４とを含んで構成されている。
【００２７】
図２に示すように、画像読取部１０は、裏面画像読取部２８を含む原稿搬送部１２（ＤＡＤＦ：Dual Auto Document Feeder）と表面画像読取部１４とを備えている。
【００２８】
原稿搬送部１２は、画像が記録された原稿１８が置かれる原稿台２０と、原稿台２０に置かれた原稿１８を一枚ずつ取り出す取り出しロール２２と、複数の搬送ロール対２６を備えた搬送路２４と、裏面画像読取部２８と、裏面画像読取部２８に対向配置された基準板４６と、読取処理が終了した原稿が排出される排紙部３０とを含んで構成されている。
【００２９】
裏面画像読取部２８は、原稿１８及び基準板４６に対して照明光を照射する主走査方向に沿って配列された複数の発光素子を備えた光源２８Ｂと、光源２８Ｂにより照明された原稿１８及び基準板４６を複数の画素に分割して測光し、画素毎に測光した画素値に応じた読取データを出力するラインセンサ２８Ａとを含んで構成された固定密着型のイメージセンサである。また、裏面画像読取部２８は、図示しないロッドレンズアレイを備えており、原稿１８または基準板４６で反射した光がロッドレンズアレイを介してラインセンサ２８Ａで測光される。基準板４６は、シェーディング補正を行う場合にラインセンサ２８Ａにより読み取られる基準板で、例えば、白色の樹脂板または白色に塗装された金属板等が用いられる。
【００３０】
一方、表面画像読取部１４は、上面に原稿１８を置くことが可能とされている透明なプラテンガラス３２を備えている。プラテンガラス３２の下側には、原稿１８の表面に向けて照明光を照射する光源３４と、原稿１８の表面で反射した反射光を受ける第１反射ミラー３６、第１反射ミラー３６で受けた反射光の進行方向を９０°曲げるための第２反射ミラー３８、第２反射ミラー３８で受けた反射光の進行方向をさらに９０°曲げるための第３反射ミラー４０とが備えられている。
【００３１】
なお、光源３４は、例えば蛍光ランプ又は原稿１８の搬送方向と交差する方向に沿って配列された複数のＬＥＤ（Light Emitting Diode）等が適用される。
【００３２】
また、表面画像読取部１４は、レンズ４２と、複数の画素を備えた光電変換部４４とを備えており、表面画像読取部１４は、第３反射ミラー４０で反射された反射光を、レンズ４２によって光電変換部４４に結像させることで、原稿１８の表面を読み取る。
【００３３】
光電変換部４４は、例えば複数のＣＣＤ（Charge Coupled Device）で構成されるＣＣＤラインセンサ又はＣＭＯＳ（Complementary Metal-Oxide Semiconductor）イメージセンサ等の固体撮像素子が適用される。
【００３４】
このように構成された画像読取部１０によれば、原稿台２０に置かれた原稿１８は、一枚ずつ取り出しロール２２で取り出され、搬送路２４へ送られる。搬送路２４へ送られた原稿１８は、搬送ロール対２６によって表面画像読取部１４の表面読取位置まで搬送され、表面を表面画像読取部１４で読み取られる。その後、原稿１８は、表面読取位置よりも搬送方向下流側に設置されている裏面画像読取部２８に搬送され、原稿１８の両面を読み取る設定となっていた場合は、裏面を裏面画像読取部２８で読み取られた後、排紙部３０に排紙される。
【００３５】
また、画像読取部１０は、光源３４、第１反射ミラー３６、第２反射ミラー３８、及び第３反射ミラー４０が図１の矢印Ａ方向に移動可能とされている。これにより、原稿搬送部１２が表面画像読取部１４の上方へ開けられ、プラテンガラス３２の上面に原稿１８が置かれた場合は、光源３４から照明光を原稿１８に向けて照射しつつ、矢印Ａ方向へ光源３４、第１反射ミラー３６、第２反射ミラー３８、及び第３反射ミラー４０を移動させることで、上記原稿１８に記録された画像が読み取られる。なお、画像読取部１０は、取得手段の一例である。
【００３６】
画像形成部８０は、電子写真方式によって原稿画像を用紙に印刷するものであり、無端状の中間転写ベルトと、中間転写ベルトに各色（Ｙ：イエロー、Ｍ：マゼンタ、Ｃ：シアン、Ｋ：ブラック）のトナー画像を転写する画像形成ユニットと、画像情報に基づいて変調されたレーザ光で画像形成ユニットの感光体ドラムを露光することにより感光体ドラム上に静電潜像を形成する光学部とを備えている。
【００３７】
画像形成ユニットは、感光体ドラムと、感光体ドラムの表面を一様に帯電する帯電器と、感光体ドラムの表面に光学部によって形成された静電潜像を各色のトナーで現像したトナー画像を形成する現像部と、中間転写ベルトを感光体ドラムに押し付ける転写ローラとを有している。中間転写ベルトは、モータに連結された駆動ローラによって駆動される。
【００３８】
また、画像形成部８０は、中間転写ベルト上に形成されたトナー画像を用紙供給部８２から給紙された用紙に転写する転写部と、用紙に転写されたトナー画像を用紙上に定着させる定着部と、定着部を通過した用紙を用紙排出部８４に排出する排出ローラとを備えている。
【００３９】
用紙供給部８２は、向き、大きさ、紙質等の異なる用紙をそれぞれ収容する複数の用紙カセットと、各用紙カセットから用紙を取り出し、画像形成部８０の転写部へ搬送するための複数のローラとを備える。
【００４０】
このように構成された画像形成装置１１によれば、画像読取部１０で原稿を読み取り、読み取ったデータに基づいて、画像形成部８０において、用紙供給部８２から給紙された用紙に画像が形成される。
【００４１】
図３には、本実施形態に係る画像形成装置１１のブロック図を示した。図３に示すように、画像形成装置１１は、コンピュータ５０を含んで構成されている。
【００４２】
コンピュータ５０は、ＣＰＵ（Ｃｅｎｔｒａｌ  Ｐｒｏｃｅｓｓｉｎｇ  Ｕｎｉｔ）５０Ａ、ＲＯＭ（Ｒｅａｄ  Ｏｎｌｙ  Ｍｅｍｏｒｙ）５０Ｂ、ＲＡＭ（Ｒａｎｄｏｍ  Ａｃｃｅｓｓ  Ｍｅｍｏｒｙ）５０Ｃ、不揮発性メモリ５０Ｄ、及び入出力インターフェース（Ｉ／Ｏ）５０Ｅがバス５０Ｆを介して各々接続された構成となっている。なお、ＣＰＵ５０は、表示手段及び処理手段の一例である。
【００４３】
Ｉ／Ｏ５０Ｅには、操作部６０、表示部６２、画像読取部１０、画像形成部８０、用紙供給部８２、用紙排出部８４、ネットワーク通信インターフェース（Ｉ／Ｆ）８６、電話回線インターフェース（Ｉ／Ｆ）８８、及びハードディスク９０等の各機能部が接続されている。
【００４４】
操作部６０は、例えばコピー開始等を指示するためのスタートボタンやテンキー等の各種ボタンを含む。
【００４５】
表示部６２は、コピー濃度等の各種の画像形成条件を設定するための設定画面や後述するプレビュー画像（参照画像）を確認するための確認画面等の各種画面を表示する。なお、本実施形態では、表示部６２は、各種画面において指で触れることにより各種操作が可能なタッチパネルにより構成される。なお、表示部６２は、本発明に係る検出手段の一例である。
【００４６】
ネットワーク通信Ｉ／Ｆ８６は、ネットワークを介して外部装置とデータ通信を行うためのインターフェースである。
【００４７】
電話回線通信Ｉ／Ｆ８８は、図示しない電話回線を介して接続された他の画像形成装置とファクシミリ通信を行うためのインターフェースである。
【００４８】
ハードディスク９０は、例えば装置の各部の状態や稼働状況等のログデータ、コピーやファクシミリ通信、プリント等の処理結果のログデータ、各種の設定データ、後述する表示制御プログラム等が記憶される。
【００４９】
ところで、本実施形態に係る画像形成装置１１では、原稿台２０に複数枚の原稿をセットして読み取りを指示した場合、画像読取部１０で順次読み取られた原稿の画像からプレビュー画像を生成し、生成したプレビュー画像の一覧画面を表示部６２に表示する機能を有する。
【００５０】
図４には、プレビュー画像の一覧画面の一例を示した。図４に示す一覧画面では、画像読取部１０で読み取った原稿のうち１ページ目〜１０ページ目までのプレビュー画像ＰＶ１〜ＰＶ１０が表示されている。そして、画像形成装置１１では、例えばユーザーが予め定めたジェスチャー操作により処理対象のプレビュー画像に対して処理を指示すると、ジェスチャー操作に応じた処理を実行する。ここで、ユーザーが指示する処理とは、例えば処理が指示されたプレビュー画像に対応する処理対象画像の属性を変更する処理である。属性には、例えば画像の向き、画像の順番、及び画像のサイズ等の少なくとも１つが含まれるが、これらに限られるものではない。本実施形態では、属性を変更する処理として、画像の向きを回転させる処理を実行する場合について説明する。例えば、処理対象のプレビュー画像上で円を描くようなジェスチャー操作を行った場合、そのプレビュー画像に対応する処理対象画像を例えば９０度回転させる。この際、プレビュー画像が小さいため、ユーザーがどのプレビュー画像に対してジェスチャー操作をしたのか認識しづらい。このため、画像形成装置１１は、ユーザーがどのプレビュー画像を選択したのかを認識しやすくなるように、ジェスチャー操作をしたプレビュー画像の少なくとも一部を拡大する表示制御処理を実行する。なお、ジェスチャー操作と、ジェスチャー操作に対応した処理と、の対応関係は、上記の例に限られるものではなく、任意に設定される。このように、本実施形態では、一覧画面に表示されたプレビュー画像に対してジェスチャー操作をすることで何らかの処理を指示した場合に、そのプレビュー画像を拡大して表示する。すなわち、ユーザーがプレビュー画像を拡大することを意図してジェスチャー操作した場合に拡大表示するのではなく、本来の目的である何らかの処理をジェスチャー操作で指示した場合に、そのジェスチャー操作に付随してプレビュー画像を拡大表示するものである。
【００５１】
次に、本実施形態の作用として、ＣＰＵ５０で実行されるプレビュー画像の表示制御処理について、図５に示すフローチャートを参照して説明する。なお、図５に示す表示制御処理は、プレビュー画像の一覧画面が表示部６２に表示されると実行される。
【００５２】
ステップＳ１００では、何らかの操作が有ったことを検出したか否かを判定し、操作が検出された場合はステップＳ１０２へ移行し、操作が検出されていない場合は、操作が検出されるまで待機する。
【００５３】
ステップＳ１０２では、検出された操作が、プレビュー画像に対応する処理対象画像（読み取り画像）に対して、何らかの処理を指示する操作であったか否かを判定する。例えば、処理が指示された処理対象画像を右方向に９０度回転させる処理を指示するための操作であれば、図６に示すように、処理対象画像に対応するプレビュー画像ＰＶ上で円を時計回りで描くようなジェスチャー操作ＪＳ１を指で行う。なお、図６においては、説明の便宜上、１つのプレビュー画像ＰＶのみを表示し、他のプレビュー画像の表示は省略している。
【００５４】
ステップＳ１０４では、図７に示すように、処理対象画像に対応するプレビュー画像ＰＶの一部の領域を拡大した拡大画像ＰＶ−Ａを表示する。拡大する領域は、例えば、図６に示すようなジェスチャー操作ＪＳ１を行った際に囲まれた領域とする。なお、ジェスチャー操作ＪＳ１を行った際に囲まれた領域以外の領域を拡大してもよいし、プレビュー画像ＰＶ全体を拡大してもよい。
【００５５】
ここで、ユーザーは、拡大画像ＰＶ−Ａを参照し、処理を指示したプレビュー画像が意図通りか否かを確認し、意図通りであれば確認ＯＫであることを示す操作を行う。一方、処理を指定したプレビュー画像が意図通りか否かを確認し、意図通りでなければ確認ＮＧであることを示す操作を行う。なお、確認ＯＫであることを示す操作は、例えば、プレビュー画像ＰＶ又は拡大画像ＰＶ−Ａを１回タップする操作としてもよいし、図示は省略するが、表示部６２に表示されたＯＫボタンをタップする操作としてもよい。また、確認ＮＧであることを示す操作は、例えば、プレビュー画像ＰＶ及び拡大画像ＰＶ−Ａ以外の領域を１回タップする操作としてもよいし、図示は省略するが、表示部６２に表示されたＮＧボタンをタップする操作としてもよい。
【００５６】
ステップＳ１０６では、確認ＯＫであるか否かを判定し、確認ＯＫである場合はステップＳ１０８へ移行し、確認ＮＧである場合はステップＳ１１０へ移行する。
【００５７】
ステップＳ１０８では、指示された処理を処理対象画像に対して実行する。これにより、プレビュー画像ＰＶに対応する処理対象画像が９０度回転される。この際、例えば図８に示すように、処理内容を認識しやすくするために、プレビュー画像ＰＶを拡大した拡大画像ＰＶ−Ｂを表示部６２に表示させるようにしてもよい。
【００５８】
ステップＳ１１０では、処理対象画像に処理を指示する操作及びプレビュー画像の一覧画面の表示を終了する操作以外の他の操作がされたか否かを判定し、肯定判定だった場合はステップＳ１１２へ移行し、否定判定だった場合はステップＳ１１４へ移行する。
【００５９】
ステップＳ１１２では、操作に対応した処理を実行する。
【００６０】
ステップＳ１１４では、プレビュー画像の一覧画面の表示を終了する操作がされたか否かを判定し、肯定判定だった場合は本ルーチンを終了し、否定判定だった場合はステップＳ１００へ移行する。
【００６１】
このように、本実施形態では、プレビュー画像に対して例えば回転処理等の処理を指示した場合に、指示されたプレビュー画像の一部を拡大して表示するので、処理が指示された画像が認識しやすくなる。また、プレビュー画像を選択する操作、選択したプレビュー画像を拡大する操作、の２ステップの操作ではなく、プレビュー画像を選択する１ステップの操作だけで拡大表示も実行されるため、操作が簡略化される。
【００６２】
（第２実施形態）
【００６３】
次に、本実施形態の第２実施形態について説明する。なお、第１実施形態と同一部分には同一符号を付し、その詳細な説明は省略する。
【００６４】
第２実施形態では、プレビュー画像に処理を指示する際に、操作の度合いが予め定めた基準度合いよりも大きい場合に、処理を指示したプレビュー画像を含む複数のプレビュー画像を拡大して表示する場合について説明する。
【００６５】
なお、本実施形態に係る画像形成装置の装置構成は第１実施形態と同一であるので、説明は省略する。
【００６６】
次に、本実施形態の作用として、ＣＰＵ５０で実行されるプレビュー画像の表示制御処理について、図９に示すフローチャートを参照して説明する。
【００６７】
図９に示す表示制御処理は、図５に示す表示制御処理と比較すると、ステップＳ１０３、Ｓ１０５が追加されている点が異なる。その他の処理は図５に示す表示制御処理と同一なので説明は省略する。
【００６８】
ステップＳ１０３では、プレビュー画像に処理を指示する操作の度合いが予め定めた基準度合いより大きいか否かを判定する。例えば、図６に示すように、プレビュー画像ＰＶ上でジェスチャー操作ＪＳ１を指で行った場合、ジェスチャー操作ＪＳ１の回転速度が、予め定めた基準回転速度より速い場合を、操作の度合いが基準度合いより大きいと判定する。
【００６９】
なお、画面を押下した際の圧力を検出する構成を表示部６２に採用した場合には、表示部６２の画面を押下した際の圧力が予め定めた圧力以上の場合を、操作の度合いが基準度合いより大きいと判定するようにしてもよい。
【００７０】
そして、ステップＳ１０３で肯定判定だった場合は、ステップＳ１０４へ移行し、否定判定だった場合はステップＳ１０５へ移行する。
【００７１】
ステップＳ１０５では、操作の度合いに応じて、処理を指示されたプレビュー画像を含む複数のプレビュー画像を表示部６２に表示する。例えば図１０に示すように、プレビュー画像ＰＶ１の付近で円を時計回りで描くようなジェスチャー操作ＪＳ２を指で行った際に、ジェスチャー操作の回転速度が予め定めた基準回転速度より速かった場合には、図１１に示すように、プレビュー画像ＰＶ１、ＰＶ２、ＰＶ３の３個のプレビュー画像の一部を各々拡大した拡大画像ＰＶ１−Ａ、ＰＶ２−Ａ、ＰＶ３−Ａを表示する。図１１の例は、拡大表示するプレビュー画像の個数が３個の場合であるが、拡大表示するプレビュー画像の個数は、回転速度に応じて設定される。すなわち、回転速度が速くなるに従って拡大表示するプレビュー画像の個数が多くなり、回転速度が遅くなるに従って拡大表示するプレビュー画像の個数が少なくなる。
【００７２】
このように、本実施形態では、プレビュー画像に処理を指示する際に、操作の度合いが予め定めた基準度合いよりも大きい場合に、処理を指示したプレビュー画像を含む複数のプレビュー画像を拡大して表示するので、複数のプレビュー画像に対する処理の指示がまとめられると共に、処理対象の複数のプレビュー画像が認識しやすくなる。
【００７３】
（第３実施形態）
【００７４】
次に、本実施形態の第３実施形態について説明する。なお、上記各実施形態と同一部分には同一符号を付し、その詳細な説明は省略する。
【００７５】
第３実施形態では、処理が指示されたプレビュー画像に対応する処理対象画像だけではなく、処理対象画像と近似する近似画像についても同じ処理を行う場合について説明する。
【００７６】
なお、本実施形態に係る画像形成装置の装置構成は第１実施形態と同一であるので、説明は省略する。
【００７７】
次に、本実施形態の作用として、ＣＰＵ５０で実行されるプレビュー画像の表示制御処理について、図１２に示すフローチャートを参照して説明する。
【００７８】
図１２に示す表示制御処理は、図５に示す表示制御処理と比較すると、ステップＳ１０３Ａ、Ｓ１０５Ａ、Ｓ１０９Ａ、Ｓ１０９Ｂが追加されている点が異なる。その他の処理は図５に示す表示制御処理と同一なので説明は省略する。
【００７９】
ステップＳ１０３Ａでは、表示部６２に表示されたプレビュー画像に対応する画像（読み取り画像）のうち、処理が指示されたプレビュー画像に対応する処理対象画像と近似する近似画像が存在するか否かを判定する。ここで、画像が近似するか否かの判定方法としては、例えば以下のようは判定方法が挙げられる。
【００８０】
第１の判定方法として、例えば、各プレビュー画像に対応する画像の各々に対してＯＣＲ（Optical Character Recognition）処理を施し、処理対象画像のヘッダー及びフッターの少なくとも一方を含む付加情報の位置及び文字列が類似する付加情報を有する画像が存在するか否かを判定することにより、処理対象画像と近似する画像が存在するか否かを判定してもよい。なお、文字列が類似するか否かの判定は、種々公知の手法が用いられる。
【００８１】
また、第２の判定方法として、各プレビュー画像に対応する画像の各々に対してＯＣＲ処理を施し、処理対象画像の見出し情報（章、節）の位置が類似する見出し情報を有する画像が存在するか否かを判定することにより、処理対象画像と近似する画像が存在するか否かを判定してもよい。
【００８２】
また、第３の判定方法として、各プレビュー画像に対応する画像の各々に対してＯＣＲ処理を施し、処理対象画像に含まれる文字列の方向と同じ文字列の方向の画像が存在するか否かを判定することにより、処理対象画像と近似する画像が存在するか否かを判定してもよい。
【００８３】
なお、第１〜第３の判定方法を組み合わせて判定してもよい。すなわち、第１〜第３の判定方法の少なくとも１つの判定方法で肯定判定された場合に、処理対象画像と近似する画像が存在すると判定するようにしてもよい。
【００８４】
そして、ステップＳ１０３Ａにおいて、近似するプレビュー画像が存在しないと判定された場合はステップＳ１０４へ移行し、近似するプレビュー画像が存在すると判定された場合はステップＳ１０５Ａへ移行する。
【００８５】
ステップＳ１０５Ａでは、処理対象画像に対応するプレビュー画像だけでなく、近似画像に対応するプレビュー画像も一緒に拡大する。
【００８６】
例えば、図１３に示すように、プレビュー画像ＰＶ１上で円を時計回りで描くようなジェスチャー操作ＪＳ３をした場合、プレビュー画像ＰＶ１に対応する処理対象画像と同じ位置に類似する文字列を有するプレビュー画像ＰＶ３に対応する画像が近似画像と判定される。この場合、図１４に示すように、プレビュー画像ＰＶ１を拡大した拡大画像ＰＶ１−Ａだけでなく、近似画像に対応するプレビュー画像ＰＶ３を拡大した拡大画像ＰＶ３−Ａも一緒に拡大表示される。
【００８７】
そして、ステップＳ１０６で確認ＯＫと判定された場合、ステップＳ１０８において、図１５に示すように、処理対象画像に対応するプレビュー画像ＰＶ１だけでなく、近似画像に対応するプレビュー画像ＰＶ３も一緒に回転される。
【００８８】
ステップＳ１０９Ａでは、読み取った複数の画像のうち、プレビュー画像が表示部６２に表示されていない非表示画像の中に、処理対象画像と近似する近似画像が存在するか否かを判定する。そして、ステップＳ１０９Ａが肯定判定の場合はステップＳ１０９Ｂへ移行し、否定判定の場合はステップＳ１１０へ移行する。
【００８９】
ステップＳ１０９Ｂでは、近似画像に対して処理を実行するか否かを確認するための確認処理を実行すると共に、処理の実行が指示された近似画像に対して処理を実行する。具体的には、例えば図１６に示すような確認画面を表示部６２に表示する。この確認画面は、一例として、読み取った複数の画像のうち、プレビュー画像の一覧画面に表示されていない近似画像に対して、回転させる処理を実行するか否かを確認するための画面である。
【００９０】
図１６に示す確認画面には、プレビュー画像の一覧画面に表示されていない近似画像毎に、ページ番号Ｐｎ及びチェックボックスＣＫを表示するページ領域ＡＲ、スクロールボタンＳＫ、確認ボタンＫ１、Ｋ２が表示されている。図１６の例では、５ページ目、１０ページ目、１２ページ目、１８ページ目が、処理対象画像と対応する近似画像である。ここで、チェックボックスＣＫが「□」のページについては、ユーザーによって回転が設定されていない画像であり、チェックボックスＣＫが「■」のページについては、ユーザーによって回転が設定された画像であることを示す。
【００９１】
そして、例えば５ページ目のページ領域ＡＲをクリックすると、図１７に示すような確認画面が表示される。図１７に示す確認画面は、元々横長の５ページ目のプレビュー画像を９０度回転させて縦長のプレビュー画像ＰＶ５として表示している。ここで、ユーザーが「はい」と表示された確認ボタンＫ３を押下すると、５ページ目の画像を回転するように設定され、「戻す（回転しない）」と表示された確認ボタンＫ４を押下すると、５ページ目の画像を回転しないように設定される。図１７の確認画面で確認ボタンＫ３又はＫ４が押下されると、図１６の確認画面に戻る。
【００９２】
そして、図１６の確認画面において、「はい（一括で回転）」と表示された確認ボタンＫ１が押下されると、チェックボックスＣＫが「■」となっているページの近似画像が一括して回転されて表示部６２に表示される。一方、「いいえ」と表示された確認ボタンＫ２が押下されると、画像は回転されず、確認画面の表示を終了する。
【００９３】
なお、図１８に示すような確認画面としてもよい。図１８に示す確認画面は、画面下部の表示領域Ａ１には、プレビュー画像の一覧画面に表示されていないプレビュー画像に対応する画像のうち、処理対象画像と近似する近似画像のプレビュー画像の一覧が矢印Ｘ方向に並んで表示される。また、画面上部の表示領域Ａ２には、表示領域Ａ１から選択されたプレビュー画像を拡大した拡大画像がＸ方向に並んで表示される。表示領域Ａ１は、表示領域Ａ２の表示が邪魔されないように、例えば画面の下方から矢印Ｙ方向にスライドインして表示される。なお、図１８では、一例として表示領域Ａ２に表示されるプレビュー画像の個数が２個の場合を示したが、表示されるプレビュー画像の個数は２個に限られるものではない。
【００９４】
ユーザーが、表示領域Ａ１に表示されたプレビュー画像のうち、処理対象画像と同様に回転させたいプレビュー画像をジェスチャー操作により選択すると、選択されたプレビュー画像を拡大したプレビュー画像が表示領域Ａ２に表示される。また、表示領域Ａ２に拡大表示されたプレビュー画像のうち、回転させたくないプレビュー画像をジェスチャー操作により選択すると、そのプレビュー画像が表示領域Ａ２から消去される。
【００９５】
また、表示領域Ａ１に表示されたプレビュー画像のうち、処理対象画像と同様に回転させたいプレビュー画像をクリックして選択ボタンＢ１を押下すると、選択されたプレビュー画像を拡大したプレビュー画像が表示領域Ａ２に表示されるようにしてもよい。また、表示領域Ａ２に拡大表示されたプレビュー画像のうち、回転させたくないプレビュー画像をクリックして戻すボタンＢ２を押下すると、そのプレビュー画像が表示領域Ａ２から消去されるようにしてもよい。
【００９６】
図１８では、一例として表示領域Ａ１から選択された３ページ目のプレビュー画像ＰＶ３を拡大したプレビュー画像ＰＶ３−Ａが表示領域Ａ２に表示されている。また、図１８の例では、表示領域Ａ１に表示されていないプレビュー画像のうち７、９ページ目のプレビュー画像ＰＶ７、ＰＶ９も選択されているが、表示領域Ａ２に表示されるプレビュー画像の個数が２個のため、プレビュー画像ＰＶ７を拡大したプレビュー画像ＰＶ７−Ａだけ表示領域Ａ２に表示されている。さらに、７、９ページ目のプレビュー画像ＰＶ７、ＰＶ９も選択されていることが認識されやすいように、その旨を示すメッセージＭ１が表示されている。
【００９７】
また、表示領域Ａ１内において、例えば矢印Ｘ方向にスライドする操作をした場合、表示領域Ａ１内のプレビュー画像の表示が矢印Ｘ方向にスクロールされる。
【００９８】
これにより、例えば図１８では表示領域Ａ１内に表示されていなかった７、９ページ目のプレビュー画像ＰＶ７、ＰＶ９が、図１９に示すように表示領域Ａ１内に表示され、拡大されたプレビュー画像ＰＶ７−Ａ、ＰＶ９−Ａが表示領域Ａ２に表示される。また、表示領域Ａ１内に表示されていない３ページ目のプレビュー画像ＰＶ３も選択されていることが認識されやすいように、その旨を示すメッセージＭ２が表示される。
【００９９】
なお、表示領域Ａ２にプレビュー画像を拡大して表示する際には、表示領域Ａ２のサイズと、表示領域Ａ２内に表示させるプレビュー画像の個数と、に基づいて、拡大率を設定する。
【０１００】
例えば、図２０に示すように、表示領域Ａ２内に表示させるプレビュー画像の個数を３個に設定した場合において、表示領域Ａ１に表示されたプレビュー画像ＰＶ１上で、円を時計回りで描くようなジェスチャー操作ＪＳ４をした場合、表示領域Ａ２をＸ方向に３分割した分割領域Ａ２１〜Ａ２３のうち分割領域Ａ２１内に収まる拡大率でプレビュー画像ＰＶ１を拡大したプレビュー画像ＰＶ１−Ａを分割領域２１に表示する。
【０１０１】
また、図２１に示すように、表示領域Ａ１に表示されたプレビュー画像ＰＶ１上で、円を時計回りで描くようなジェスチャー操作ＪＳ５をした際に、ジェスチャー操作ＪＳ５の回転速度が予め定めた基準回転速度より速く、２ページ分のプレビュー画像ＰＶ１、ＰＶ２が選択された場合は、選択されたプレビュー画像ＰＶ１、ＰＶ２を各々拡大したプレビュー画像ＰＶ１−Ａ、ＰＶ２−Ａを分割領域Ａ２１、Ａ２２にそれぞれ表示する。
【０１０２】
このように、本実施形態では、処理対象画像に対応するプレビュー画像だけでなく、処理対象画像と近似する近似画像に対応したプレビュー画像についても同じ処理を施すため、処理を施したいプレビュー画像を１つ１つ指定する必要がなく、ユーザーの手間が軽減される。
【０１０３】
（第４実施形態）
【０１０４】
次に、本実施形態の第４実施形態について説明する。なお、上記各実施形態と同一部分には同一符号を付し、その詳細な説明は省略する。
【０１０５】
第４実施形態では、処理対象画像と近似しないと判定された非近似画像を、指示された処理に不適当な画像として警告すると共に、非近似画像の各々について個別に処理を指示するか否かを設定する場合について説明する。
【０１０６】
なお、本実施形態に係る画像形成装置の装置構成は第１実施形態と同一であるので、説明は省略する。
【０１０７】
次に、本実施形態の作用として、ＣＰＵ５０で実行されるプレビュー画像の表示制御処理について、図２２に示すフローチャートを参照して説明する。
【０１０８】
図２２に示す表示制御処理は、図１２に示す表示制御処理と比較すると、ステップＳ１０９Ａに代えてステップＳ１０９Ｃが、ステップＳ１０９Ｂに代えてステップＳ１０９Ｄが実行される点が異なる。その他の処理は図５に示す表示制御処理と同一なので説明は省略する。
【０１０９】
ステップＳ１０９Ｃでは、読み取った複数の画像のうち、プレビュー画像の一覧画面に表示されていない非表示画像の中に、処理対象画像と近似しない非近似画像が存在するか否かを判定する。そして、ステップＳ１０９Ｃが肯定判定の場合はステップＳ１０９Ｄへ移行し、否定判定の場合はステップＳ１１０へ移行する。
【０１１０】
ステップＳ１０９Ｄでは、回転対象とされていない非近似画像が存在することを警告すると共に、非近似画像に対して処理を実行するか否かを確認するための確認処理を実行すると共に、処理の実行が指示された非近似画像に対して処理を実行する。具体的には、例えば図２３に示すような確認画面を表示部６２に表示する。この確認画面は、一例として、読み取った複数の画像のうち、表示部６２に非表示の非近似画像を回転させる処理を実行するか否かを確認するための画面である。
【０１１１】
図２３に示す確認画面には、非近似画像毎にページ番号Ｐｎ及びチェックボックスＣＫを表示するページ領域ＡＲ、スクロールボタンＳＫ、確認ボタンＫ１、Ｋ２が表示されている。図２３の例では、８ページ目、１１ページ目、１２ページ目、１９ページ目が、非近似画像である。ここで、チェックボックスＣＫが「□」のページについては、ユーザーによって回転が設定されていない画像であり、チェックボックスＣＫが「■」のページについては、ユーザーによって回転が設定された画像であることを示す。
【０１１２】
そして、例えば１１ページ目のページ領域ＡＲをクリックすると、図２４に示すような確認画面が表示される。図２４に示す確認画面は、元々縦長の１１ページ目のプレビュー画像を９０度回転させて横長のプレビュー画像ＰＶ１１として表示している。ここで、ユーザーが「はい」と表示された確認ボタンＫ３を押下すると、１１ページ目の画像を回転するように設定され、「戻す（回転しない）」と表示された確認ボタンＫ４を押下すると、１１ページ目の画像を回転しないように設定される。図２４の確認画面で確認ボタンＫ３又はＫ４が押下されると、図２３の確認画面に戻る。
【０１１３】
そして、図１６の確認画面において、「はい（一括で回転）」と表示された確認ボタンＫ１が押下されると、チェックボックスＣＫが「■」となっているページの近似画像が一括して回転されて表示部６２に表示される。一方、「いいえ」と表示された確認ボタンＫ２が押下されると、画像は回転されず、確認画面の表示を終了する。
【０１１４】
このように、本実施形態では、回転対象となっていない非近似画像が存在することを警告すると共に、非近似画像の各々について回転させるか否かをユーザーに設定させる。これにより、処理対象画像に近似しない画像であってもユーザーの指示により回転対象とされるため、選択の自由度が増す。
【０１１５】
なお、上記各実施形態では、ユーザーが指示する処理として、処理対象画像の属性を変更する処理のうち処理対象画像の向きを回転させる処理を実行する場合について説明したが、これに限られるものではない。例えば、処理対象画像の属性を変更する処理として、処理対象画像の順番を入れ替える処理が挙げられる。この場合、例えば入れ替え対象の処理対象画像に対応するプレビュー画像に対し、ジェスチャー操作としてドラッグ操作（指でタッチしたまま移動させる操作）をすることにより、処理対象画像の順番が入れ替えられる。
【０１１６】
また、処理対象画像の属性を変更する処理として、読み取った画像のサイズを変更する、すなわち画像を拡大又は縮小する処理が挙げられる。この場合、例えば処理対象画像に対応するプレビュー画像に対してピンチアウト操作（２本の指の間隔を広げる）又はピンチイン操作（２本の指の間隔を狭める）をすることにより、処理対象画像が拡大又は縮小される。
【０１１７】
また、ユーザーが指示する処理として、処理対象画像の属性を変更する処理に限らず、処理対象画像に付加情報を追加する処理としてもよい。ここで、付加情報としては、例えばスタンプ等が挙げられるが、これに限られるものではない。
【０１１８】
また、上記各実施形態では、画像読取部１０により読み取られた画像のプレビュー画像の一覧画面が表示された場合に本発明を適用した場合について説明したが、画像形成部８０により画像を形成させる前に、画像形成対象の画像のプレビュー画像の一覧画面を表示する場合や、ファクシミリ送信する際に送信対象の画像のプレビュー画像の一覧を表示させる場合にも本発明は適用される。
【０１１９】
また、本実施形態では、画像読取部１０により原稿の画像を読み取る場合について説明したが、例えばサーバから写真等の画像を順次ダウンロードし、ダウンロードした画像のプレビュー画像の一覧画面をディスプレイに表示させる場合にも本発明は適用される。
【０１２０】
また、本実施形態では、電子写真方式の画像形成部を採用した画像形成装置について説明したが、インクジェット方式の画像形成装置にも、本発明を適用可能である。
【０１２１】
また、上記実施の形態では、プレビュー画像の表示制御プログラムがハードディスク９０に予めインストールされている場合について説明したが、本発明はこれに限定されるものではない。例えば、表示制御プログラムが、ＣＤ−ＲＯＭ（Compact Disk Read Only Memory）等の記憶媒体に格納されて提供される形態、又はネットワークを介して提供される形態としてもよい。
【０１２２】
その他、上記実施の形態で説明した画像形成装置１１の構成（図１〜３参照。）は一例であり、本発明の主旨を逸脱しない範囲内において不要な部分を削除したり、新たな部分を追加したりしてもよいことは言うまでもない。
【０１２３】
また、上記実施の形態で説明した表示制御プログラムの処理の流れ（図５参照）も一例であり、本発明の主旨を逸脱しない範囲内において不要なステップを削除したり、新たなステップを追加したり、処理順序を入れ替えたりしてもよいことは言うまでもない。
【符号の説明】
【０１２４】
１０   画像読取部
１１   画像形成装置
１２   原稿搬送部
１８   原稿
２０   原稿台
５０   コンピュータ
６０   操作部
６２   表示部
８０   画像形成部
８２   用紙供給部
８４   用紙排出部
９０   ハードディスク
【図１】
2018033052.tif 000003
【図２】
2018033052.tif 000004
【図３】
2018033052.tif 000005
【図４】
2018033052.tif 000006
【図５】
2018033052.tif 000007
【図６】
2018033052.tif 000008
【図７】
2018033052.tif 000009
【図８】
2018033052.tif 000010
【図９】
2018033052.tif 000011
【図１０】
2018033052.tif 000012
【図１１】
2018033052.tif 000013
【図１２】
2018033052.tif 000014
【図１３】
2018033052.tif 000015
【図１４】
2018033052.tif 000016
【図１５】
2018033052.tif 000017
【図１６】
2018033052.tif 000018
【図１７】
2018033052.tif 000019
【図１８】
2018033052.tif 000020
【図１９】
2018033052.tif 000021
【図２０】
2018033052.tif 000022
【図２１】
2018033052.tif 000023
【図２２】
2018033052.tif 000024
【図２３】
2018033052.tif 000025
【図２４】
2018033052.tif 000026